(57)【要約】      （修正有）【課題】簡単で安価な猫の侵入防止器具を提供する。【解決手段】ブロック塀等の塀１の上部側面に取付け棒２の２本を適当な間隔で両面粘着テープ３及び塀取り付けネジ４にて取り付ける。他方釣り糸５の端部近くにコイルスプリング６を取り付け、釣り糸５の他の一端に錘８を取り付ける。釣り糸５の一端を上記取付け棒２の上部に止めネジ７で止め、釣り糸５の他の一端をもう１本の取付け棒２の上部に止めネジ７で止める。取付け棒２の間にコイルスプリング６及び錘８を取り付けた釣り糸５をぴんと張る。尚、取付け棒２は、その形を直棒だけでなくＬ型棒あるいは逆Ｔ型棒としても良い。【選択図】図１
0003165700.tif 000002
【実用新案登録請求の範囲】
【請求項１】
ブロック塀等の塀の上部側面に、直棒２本を適当な間隔で両面粘着テープ及び／又は塀取付けネジにて取り付け、他方釣り糸の端部近くにコイルスプリングを取り付けた釣り糸を、前記直棒上部の両端に止めネジで止めてぴんと張り渡した、猫の侵入防止器具。
【請求項２】
下端を突状にした直棒２本を適当な間隔で地面に埋めて立て、他方釣り糸の端部近くにコイルスプリングを取り付けた釣り糸を、前記直棒の上部の両端に止めネジで止めてぴんと張り渡した、猫の侵入防止器具。
【請求項３】
請求項１及び請求項２のコイルスプリングを取り付けた釣り糸において、該釣り糸のコイルスプリングを取り付けたところより遠い位置の端部に錘を取り付けて、ぴんと張り渡した、猫の侵入防止器具。
【考案の詳細な説明】
【技術分野】
【０００１】  本考案は、猫の侵入防止器具に関するものである。
【背景技術】
【０００２】  従来、家屋の周囲に設置する猫の侵入防止器具に関しては、いろいろのものが考案されている。例えば超音波発生装置を使ったもの、猫の嫌いな臭いを発生するもの、水を散布するもの、剣山のような突起状物を設置するもの等がある。また家のブロック塀等の塀に設置するのもとして、柵を立てるもの、網をはるもの、導電線を張って電気を流すもの、回転体を設置するものあるいは上面に急傾斜状の屋根を設置するもの等がある。塀の上に設置するものとして提案されているものには、例えば下記の文献がある。
【先行技術文献】
【特許文献】
【０００３】
【特許文献１】  実用新案登録第３１０２９５６号
【考案の概要】
【考案が解決しようとする課題】
【０００４】  超音波発生装置を使ったものや猫の嫌がる臭いを発生するものは設置に費用がかかり、また学習して慣れてしまうという問題がある。水を散布するものも多額の費用がかかり、誤って人に散布してしまうということも考えられる。剣山のような突起状物も庭に設置した場合人が誤って踏んで怪我をするということも考えられる。
塀に設置するものとして柵を立てたり、道電線を張って電気を流したり、回転体を設置したり、上面に急傾斜状の屋根を設置したりするものはかなり費用がかかる。
塀の上に設置するものとして提案されている実用新案登録第３１０２９５６号においては、塀の上部に複数のナットが埋め込まれた金具を取り付け、ナットに市販のボルトをねじ込んで立て、この金具を一定の間隔で立ててこれに網を張ったり有刺鉄線を張ったりワイヤーやテグスを張ったりするというものである。
これは優れたアイデアで、ここまですれば大丈夫という感じがする。しかしこれも結構手間と費用がかかる。
本考案においては、最少の手間と費用で猫の侵入を防止できる、簡単な器具の提案をする。
【課題を解決するための手段】
【０００５】  釣り糸（テグス）を張るというアイデアは公知のものとして行われている。しかし、これだけだと学習効果により次は簡単に侵入できるようになる。本考案は、それにコイルスプリングを組み入れて用いることにより、侵入しようとした猫に異様な感じを与え、２度と侵入する意欲を失わせるものである。
塀用としては、ブロック塀等の塀の上部側面に、直棒２本を適当な間隔で両面粘着テープ及び／又は塀取付けネジにて取り付ける。他方釣り糸の端部近くにコイルスプリングを取り付けた釣り糸を、前記直棒上部の両端に止めネジで止めてぴんと張り渡した、猫の侵入防止器具である。
また庭用としては、下端を突状にした直棒２本を適当な間隔で地面に埋めて立てる。他方釣り糸の端部近くにコイルスプリングを取り付けた釣り糸を、前記直棒の上部の両端に止めネジで止めてぴんと張り渡した、猫の侵入防止器具である。
尚、上記塀用の場合も庭用の場合も、コイルスプリングを取り付けた釣り糸のコイルスプリングより遠い位置の端部に錘を取り付けると、直棒に取り付けるときにぴんと張りやすく、張った後にも引張り効果がある。
【考案の効果】
【０００６】  本考案は、簡単な構造で、塀の上や庭に設置して確実に猫の侵入を防止できる。また学習効果により、１度侵入に失敗した猫は２度と侵入しなくなる。
塀や庭に侵入しようとした猫は、釣り糸が見えにくいので足に引っ掛ける。足に引っ掛けたまま侵入しようとするが、スプリングの張力により押し返される。それが猫に異様な感じを与え、その後は侵入しようとする意欲を失わせる。
【図面の簡単な説明】
【０００７】
【図１】塀に設置した場合の本考案の図
【図２】庭に設置した場合の本考案の図
【考案を実施するための形態】
【０００８】  本考案の塀に設置するタイプの構造を図１により説明する。
ブロック塀等の塀（１）の上部側面に直棒（２）２本を適当な間隔で両面粘着テープ（３）及び／又は塀取り付けネジ（４）にて取り付ける。他方釣り糸（５）の端部近くにコイルスプリング（６）を取り付ける。該釣り糸（５）の一端を上記直棒（２）の上部に止めネジ（７）で止め、釣り糸（５）の他の一端をもう１本の直棒（２）の上部に止めネジ（７）で止める。
塀（１）がその構造によっては両面粘着テープ（３）だけでは固定できない場合もあるので、その場合には塀取り付けネジ（４）で取り付けるかその両方を併用する。
直棒（２）の間にコイルスプリング（６）を取り付けた釣り糸（５）をぴんと張る。
尚、直棒（２）は、その形をＬ型棒あるいは逆Ｔ型棒としてもよい。
次に、本考案の地面に設置するタイプの構造を図２により説明する。
地面（９）に下端を尖らせた直棒（１０）２本を適当な間隔で立てて下部を地面（９）に埋めて立てる。他方釣り糸（５）の端部近くにコイルスプリング（６）を取り付ける。該釣り糸（５）を、前記直棒（１０）のそれぞれの上部に止めネジ（７）で取り付けてぴんと張り渡す。
【０００９】  上記塀（１）に設置するタイプの場合も地面（９）に設置するタイプの場合も、コイルスプリング（６）を取り付けた釣り糸（５）のコイルスプリング（６）より遠い位置の端部に錘（８）を取り付けると、釣り糸（５）をぴんと張るときに張りやすく、また取り付け後に引張り効果がある。
【００１０】  釣り糸（５）を張る高さは、塀（１）の場合その上面から１００ｍｍ位、庭の場合地面（９）から１００ｍｍ位が適当と思われる。あまり高いと下をくぐってしまうし、低いと飛び越えてしまう。１００ｍｍ位だとそのまま引きずっていき、ある程度のところでコイルスプリング（６）によって跳ね返されて猫に異様な感じを与える。これが学習効果となって２度と近づかなくなる。
また、釣り糸（５）は無色透明で太さは３号から５号位が適当と思われる。
【符号の説明】
【００１１】  １  塀
２  直棒
３  両面粘着テープ
４  塀取り付けネジ
５  釣り糸
６  コイルスプリング
７  止めネジ
８  錘
９  地面
１０  直棒
【図１】
0003165700.tif 000003
【図２】
0003165700.tif 000004
【手続補正書】
【提出日】平成22年11月4日(2010.11.4)
【手続補正１】
【補正対象書類名】実用新案登録請求の範囲
【補正対象項目名】全文
【補正方法】変更
【補正の内容】
【実用新案登録請求の範囲】
【請求項１】
ブロック塀等の塀の上部側面に、取付け棒２本を適当な間隔で両面粘着テープ及び塀取付けネジにて取り付け、他方、釣り糸の端部近くにコイルスプリングを取り付け釣り糸の他の一端に錘を取り付けた釣り糸を、前記取付け棒上部の各両端に止めネジで止めてぴんと張り渡した、猫の侵入防止器具。
【請求項２】
下端を突状にした取付け棒２本を適当な間隔で地面に埋めて立て、他方、釣り糸の端部近くにコイルスプリングを取り付け釣り糸の他の一端に錘を取り付けた釣り糸を、前記取付け棒上部の各両端に止めネジで止めてぴんと張り渡した、猫の侵入防止器具。
【手続補正２】
【補正対象書類名】明細書
【補正対象項目名】全文
【補正方法】変更
【補正の内容】
【考案の詳細な説明】
【技術分野】
【０００１】  本考案は、猫の侵入防止器具に関するものである。
【背景技術】
【０００２】  従来、家屋の周囲に設置する猫の侵入防止器具に関しては、いろいろのものが考案されている。例えば超音波発生装置を使ったもの、猫の嫌いな臭いを発生するもの、水を散布するもの、剣山のような突起状物を設置するもの等がある。また家のブロック塀等の塀に設置するのもとして、柵を立てるもの、網をはるもの、導電線を張って電気を流すもの、回転体を設置するものあるいは上面に急傾斜状の屋根を設置するもの等がある。塀の上に設置するものとして提案されているものには、例えば下記の文献がある。
【先行技術文献】
【特許文献】
【０００３】
【特許文献１】実用新案登録第３１０２９５６号
【考案の概要】
【考案が解決しようとする課題】
【０００４】  超音波発生装置を使ったものや猫の嫌がる臭いを発生するものは設置に費用がかかり、また学習して慣れてしまうという問題がある。水を散布するものも多額の費用がかかり、誤って人に散布してしまうということも考えられる。剣山のような突起状物も庭に設置した場合人が誤って踏んで怪我をするということも考えられる。  塀に設置するものとして柵を立てたり、道電線を張って電気を流したり、回転体を設置したり、上面に急傾斜状の屋根を設置したりするものはかなり費用がかかる。  塀の上に設置するものとして提案されている実用新案登録第３１０２９５６号においては、塀の上部に複数のナットが埋め込まれた金具を取り付け、ナットに市販のボルトをねじ込んで立て、この金具を一定の間隔で立ててこれに網を張ったり有刺鉄線を張ったりワイヤーやテグスを張ったりするというものである。  これは優れたアイデアで、ここまですれば大丈夫という感じがする。しかしこれも結構手間と費用がかかる。  本考案においては、最少の手間と費用で猫の侵入を防止できる、簡単な器具の提案をする。
【課題を解決するための手段】
【０００５】  釣り糸（テグス）を張るというアイデアは公知のものとして行われている。しかし、これだけだと学習効果により次は簡単に侵入できるようになる。本考案は、それにコイルスプリングを組み入れて用いることにより、侵入しようとした猫に異様な感じを与え、２度と侵入する意欲を失わせるものである。  塀用としては、ブロック塀等の塀の上部側面に、取付け棒２本を適当な間隔で両面粘着テープ及び塀取付けネジにて取り付ける。他方、釣り糸の端部近くにコイルスプリングを取り付け釣り糸の他の一端に錘を取り付けた釣り糸を、前記取付け棒上部の各両端に止めネジで止めてぴんと張り渡した、猫の侵入防止器具である。  また庭用としては、下端を突状にした取付け棒２本を適当な間隔で地面に下部を埋めて立てる。他方、釣り糸の端部近くにコイルスプリングを取り付け釣り糸の他の一端に錘を取り付けた釣り糸を、前記取付け棒の上部の各両端に止めネジで止めてぴんと張り渡した、猫の侵入防止器具である。
【考案の効果】
【０００６】  本考案は、簡単な構造で、塀の上や庭に設置して確実に猫の侵入を防止できる。また学習効果により、１度侵入に失敗した猫は２度と侵入しなくなる。  塀や庭に侵入しようとした猫は、釣り糸が見えにくいので足に引っ掛ける。足に引っ掛けたまま侵入しようとするが、スプリングの張力により押し返される。それが猫に異様な感じを与え、その後は侵入しようとする意欲を失わせる。
【図面の簡単な説明】
【０００７】
【図１】塀に設置した場合の本考案の図
【図２】庭に設置した場合の本考案の図
【考案を実施するための形態】
【０００８】  本考案の塀に設置するタイプの構造を図１により説明する。  ブロック塀等の塀（１）の上部側面に取付け棒（２）２本を適当な間隔で両面粘着テープ（３）及び塀取り付けネジ（４）にて取り付ける。他方釣り糸（５）の端部近くにコイルスプリング（６）を取り付け、釣り糸（５）の他の一端に錘（８）を取り付ける。釣り糸（５）の一端を上記取付け棒（２）の上部に止めネジ（７）で止め、釣り糸（５）の他の一端をもう１本の取付け棒（２）の上部に止めネジ（７）で止める。  取付け棒（２）の間にコイルスプリング（６）及び錘（８）を取り付けた釣り糸（５）をぴんと張る。  尚、取付け棒（２）は、その形を直棒だけでなくＬ型棒あるいは逆Ｔ型棒とすることも考えられる。  取付け棒（２）を塀（１）に取り付ける場合、両面粘着テープ（３）及び塀取り付けネジ（４）にて取り付けるが、両面粘着テープ（３）だけで取り付け可能の場合もあるし、塀取り付けネジ（４）だけで取り付け可能の場合もあるので塀（１）の状況によって判断すればよい。  次に、本考案の地面に設置するタイプの構造を図２により説明する。  地面（９）に下端を尖らせた取付け棒（１０）２本を適当な間隔で立てて下部を地面（９）に埋めて立てる。他方釣り糸（５）の端部近くにコイルスプリング（６）を取り付け他の一端に錘（８）を取り付けた釣り糸（５）を、前記取付け棒（１０）の各上部に止めネジ（７）で取り付けてぴんと張り渡す。
【０００９】  上記塀（１）に設置するタイプの場合も地面（９）に設置するタイプの場合も、コイルスプリング（６）を取り付けた釣り糸（５）のコイルスプリング（６）より遠い位置の端部に錘（８）を取り付けると、釣り糸（５）をぴんと張るときに張りやすく、また取り付け後に引張り効果がある。尚、釣り糸（５）の張り方によっては錘（８）を取り付けなくても差し支えない場合もある。
【００１０】  釣り糸（５）を張る高さは、塀（１）の場合その上面から１００ｍｍ位、庭の場合地面（９）から１００ｍｍ位が適当と思われる。あまり高いと下をくぐってしまうし、低いと飛び越えてしまう。１００ｍｍ位だとそのまま引きずっていき、ある程度のところでコイルスプリング（６）によって跳ね返されて猫に異様な感じを与える。これが学習効果となって２度と近づかなくなる。  また、釣り糸（５）は無色透明で太さは３号から５号位が適当と思われる。
【符号の説明】
【００１１】  １  塀  ２  取付け棒  ３  両面粘着テープ  ４  塀取り付けネジ  ５  釣り糸  ６  コイルスプリング  ７  止めネジ  ８  錘  ９  地面１０  取付け棒